(57)【要約】【課題】過去に撮影したある対象物の画像に対して、現在撮影しようとしている同じ対象物の画面上の位置関係を、簡単かつ正確に合わせる撮影装置を提供することを目的とする。【解決手段】過去に撮影した画像を記憶する記憶媒体から所望の画像を読み出してメモリに一旦記憶した後、前記メモリで輝度信号成分のみの画像信号を生成して読み出し、撮影中の画像と合成表示を行なう。撮影者は表示された輝度信号成分のみの画像を参照しながら、撮影装置の位置、方向や画角を調整し、過去の画像と同じ位置関係になったときに撮影を行なう。【選択図】　　　図１
2004048169.tif 000002
【特許請求の範囲】
【請求項１】
記憶媒体に記憶された画像データのうちひとつを選択する選択手段と、
選択された前記画像データの輪郭信号を生成する生成手段と、
撮影手段で撮影された画像信号と前記輪郭信号とを合成する合成手段と、
前記合成手段で合成された合成画像を表示可能な表示手段と、
前記合成手段の動作を実行可能とする合成モードへ移行、あるいは当該合成モードを解除するための切り換え手段とを備えたことを特徴とする撮影装置。
【請求項２】
請求項１において、前記生成手段は前記輪郭信号を前記画像データの輝度信号に基づいて生成することを特徴とする撮影装置。
【請求項３】
請求項１において、前記切り換え手段はその構成の一部にシャッターボタンを用いることを特徴とする撮影装置。
【請求項４】
請求項３において、前記切り換え手段は前記シャッターボタンを半押しした際には前記合成モードを解除するよう動作させることを特徴とする撮影装置。
【請求項５】
請求項１において、さらに前記画像データから焦点距離情報を検出する焦点距離情報検出手段と、選択された前記画像データの前記焦点距離情報に基づいて、前記撮影手段におけるレンズの焦点距離を制御する制御手段とを備えたことを特徴とする撮影装置。
【請求項６】
請求項１において、前記表示手段は前記合成モードへ移行したときに、モードが移行したことを示す情報と、選択された前記画像データの焦点距離情報、Ｆ値、撮影時刻といった撮影時の情報のうちいずれか一つ以上の情報を表示することを特徴とする撮影装置。
【発明の詳細な説明】
【０００１】
【発明の属する技術分野】
本発明は画像の撮影装置に関して、過去にある撮影対象物を撮影して得た画像に基づいて、現在撮影しようとしている同じ撮影対象物に対する撮影画角を正確にあわせる方法に関するものである。
【０００２】
【従来の技術】
従来、静止画像記録装置において、ある対象物を撮影した過去の画像と同じ対象物を同じ画角で新たに撮影しようとする場合、撮影者は過去に撮影した画像をプリントし、現在のファインダ内の画角とプリント画とを見比べながら対象物の位置関係を確認して、感覚的に画角を決定して撮影していた。
【０００３】
【発明が解決しようとする課題】
しかしながら、上記従来例では以下の様な問題がある。
【０００４】
撮影者は過去に撮影した画像のプリント画を予め見て画面構成や対象物の位置を記憶したり、或いはプリント画とファインダとで交互に視線を動かしながら過去の画像と現在撮影しようとしている画像を見比べたりして、過去の画像と同じ位置関係に対象物が配置されるように撮影装置の画角をあわせて撮影を行なうが、感覚に頼っており正確な位置あわせは非常に難しく、又精度を上げる場合には数度の確認作業が必要になるなど手間もかかっていた。
【０００５】
本出願に係る第一の発明の目的は、過去に撮影したある対象物の画像に対して、現在撮影しようとしている同じ対象物の画面上の位置関係を、簡単かつ正確に合わせる手段を提供することにある。
【０００６】
【課題を解決するための手段】
斯かる目的を達成する為の手段として、本発明は以下の構成からなる手段を有する。
【０００７】
本発明の撮影装置は、記憶媒体に記憶された画像データのうちひとつを選択する選択手段と、選択された前記画像データの輪郭信号を生成する生成手段と、撮影手段で撮影された画像信号と前記輪郭信号とを合成する合成手段と、前記合成手段で合成された合成画像を表示可能な表示手段と、前記合成手段の動作を実行可能とする合成モードへ移行、あるいは当該合成モードを解除するための切り換え手段とを備えたことを特徴とする。
【０００８】
また、本発明の撮影装置は、前記生成手段は前記輪郭信号を前記画像データの輝度信号に基づいて生成することを特徴とする。
【０００９】
また、本発明の撮影装置は、前記切り換え手段はその構成の一部にシャッターボタンを用いることを特徴とする。
【００１０】
また、本発明の撮影装置は、前記切り換え手段は前記シャッターボタンを半押しした際には前記合成モードを解除するよう動作させることを特徴とする。
【００１１】
また、本発明の撮影装置は、さらに前記画像データから焦点距離情報を検出する焦点距離情報検出手段と、選択された前記画像データの前記焦点距離情報に基づいて、前記撮影手段におけるレンズの焦点距離を制御する制御手段とを備えたことを特徴とする。
【００１２】
また、本発明の撮影装置は、前記表示手段は前記合成モードへ移行したときに、モードが移行したことを示す情報と、選択された前記画像データの焦点距離情報、Ｆ値、撮影時刻といった撮影時の情報のうちいずれか一つ以上の情報を表示することを特徴とする。
【００１３】
【発明の実施の形態】
（実施の形態１）
図１は本発明の特徴を最も良く表わす図画である。
【００１４】
図１は本発明を適用した静止画撮影装置の全体のブロック図を示したものであり、図１において１は光学信号を取り込むところのレンズ部、２は光学信号を画像信号に変換するところのＣＣＤ部、３はＣＣＤ部からの画像信号を処理するところのカメラ信号処理部、４はカメラ信号処理部からの画像信号と画角合わせ信号を合成するところの画像合成処理部、５は各ブロックの制御を行なうところのマイコン、６は撮影動作を実行入力するところのシャッター、７は画角合わせモードに切り換えるところの画角合わせモードスイッチ、８は記録媒体中の画角合わせ対象画像を選択するところの画角合わせ対象画像選択スイッチ、９は画角合わせに使用する画像を生成するところの画角合わせ信号生成部、１０は画角合わせ対象画像を記憶するところの画角合わせ画像メモリ、１１は画像データの圧縮伸張を行なうところの圧縮伸張処理部、１２は記録媒体に画像データを記録或いは記録媒体からの画像データの読み込みを行なうところのデータ入出力部、１３は画像データを保持するところの記録媒体、１４は画像を表示部に表示する処理を行なうところの表示処理部、１５は撮影、再生画像を表示するところの表示部である。
【００１５】
以下、図１について各部の動作説明を行なう。
【００１６】
撮影者が過去に撮影したある対象物の画像と同じ画角で同じ対象物を撮影する場合、予め記録媒体１３中に過去の撮影データを保存しておき撮影場所に行く。
【００１７】
撮影対象物を前に静止画撮影装置を三脚等に設置して大雑把に画角を決めた後、画角合わせモードスイッチ７を切り換え画角合わせモードに移行させる。
【００１８】
このモードに移行すると記録媒体１３からの画像信号がデータ入出力部１２から入力され、圧縮伸張処理部１１で伸張され、表示処理部１４を経由して表示部に表示される。
【００１９】
撮影者は画角合わせ対象画像選択スイッチ８を操作し記録媒体１３中の画像から同じ撮影対象物が撮影された画像データを選択し決定すると、圧縮伸張処理部１１から選択された画像データが、画角合わせ画像メモリ１０に取り込まれる。取り込まれた信号は画角合わせ信号生成部９に入力される。
【００２０】
画角合わせ信号生成部９では、画角合わせ画像メモリ１０に記憶された画像データの輪郭信号を生成する。輪郭信号は画像データの輝度信号成分を用いて生成され、生成された輪郭信号は画像合成処理部４に入力する。
【００２１】
一方レンズ部１、ＣＣＤ部２、カメラ信号処理部３を経由してくる画像信号は、画角合わせモードスイッチ７が切り換えられ、画角合わせ対象画像選択スイッチ８で画像が決定されるタイミングまでは画像合成処理部４に入力されず、決定されるタイミングで始めて輪郭信号と画像合成処理部４で合成される。
【００２２】
画像合成処理部４の出力は過去に撮影された画像中の輪郭信号と、カメラ信号処理部３からのこれから撮影する画像の合成画像となり、その信号は表示処理部１４を経由して表示部１５に入力、表示される。
【００２３】
撮影者は表示部１５を見ながら、先程大雑把に決めた画角と、画角合わせ信号中の撮影対象物の位置が重なるように静止画撮影装置の位置、撮影方向、画角等を調整する。
【００２４】
この２つの画像で撮影対象物の位置が合ったところで撮影者はシャッター６を半押しする。
【００２５】
この操作により合焦するタイミングで、画角合わせモードは自動的に解除され、画像合成処理部４はカメラ信号処理部３からの信号に対する画角合わせ信号の合成を停止する。
（ここでもしもう一度画角を合わせ直したい場合、シャッター６の半押しを停止すると画像合成処理部４は画角合わせ信号とカメラ信号処理部３の出力信号の合成を再開する）。
【００２６】
撮影者はここからシャッター６を更に押し込み撮影を行なう。
【００２７】
画角合わせモードでの撮影を中止したい場合は画角合わせモード切換スイッチ７を操作すれば通常の撮影モードに切り換えることが出来る。
【００２８】
撮影された画像はカメラ信号処理部３から圧縮伸張処理部１１に送られここで圧縮されてデータ入出力部１２を経由して記録媒体１３に記録される。
【００２９】
以上述べたように本発明によれば、過去に撮影した画像の輪郭と現在撮影しようとしている画像を表示部で実際に重ね合わせて撮影できるため、同じ撮影対象物を全く同じ画角で簡単に撮影できるようになる。
【００３０】
（実施の形態２）
図２は、前記実施の形態１の静止画撮影装置に焦点情報検出回路を組み合わせ、ズームレンズを用いる静止画撮影装置にも対応した第二の実施形態の構成を示した図であり、図２において１から１５までは図１の説明に準じる。
【００３１】
１６は過去に撮影された記録媒体中の画像データから撮影時の焦点距離情報を検出するところの、焦点距離情報検出部である。
【００３２】
以下、第一の実施例に重複する部分を割愛して異なる動作のみの説明をする。
【００３３】
画角合わせ対象画像選択スイッチ８の操作により、画角合わせ対象画像が決定されると、画角合わせ画像メモリ１０中に保持された画像データの付加情報から、焦点距離情報検出部１６がその画像データが撮影された時の焦点距離情報を検出しマイコン５にその情報を送る。
【００３４】
マイコン５は送られた焦点距離情報からレンズ部１を画角合わせ対象画像と同じ焦点距離になるよう制御する。
【００３５】
これらの動作を実施の形態１に組み合わせることで、ズームレンズを搭載した静止画撮影装置でも画角合わせを容易に行なうことが可能となる。
【００３６】
（実施の形態３）
図３は、前記実施の形態１の静止画撮影装置に画角合わせモードに移行したことを撮影者に知らせる表示部をさらに追加した場合の、第３の実施形態の構成を示した図であり、図３において１から１５までは図１の説明に準じる。
【００３７】
１７は画角合わせモードに移行したとき、画角合わせモードにおける動作状態であることを撮影者に知らせる為の画角合わせモード表示部である。１８は画角合わせ対象として選択され、画角合わせ画像メモリ１０中に保持された過去の撮影画像データから記録時の情報を検出しマイコン５に送るところの画角合わせ対象画像記録時情報検出部である。
【００３８】
以下、実施の形態１に重複する部分を割愛して異なる動作のみ説明をする。
【００３９】
撮影対象物を前に静止画撮影装置を三脚等に設置して大雑把に画角を決めた後、画角合わせモードスイッチ７を切り換え画角合わせモードに移行させる。
【００４０】
画角合わせモードに移行すると、マイコン５から表示処理部１４へモードに応じた表示を表示部１５中の画角合わせ表示部１７に表示するよう情報が伝達され、画角合わせモード表示がなされる。
【００４１】
また、画角合わせ対象として、画角合わせ画像メモリ９に保持された過去に撮影された画像データから、画角合わせ対象画像記録時情報検出部１８で撮影時の情報（焦点距離情報、Ｆ値、撮影日、撮影時間など）を画像データの付加情報から検出しマイコン５に送り、マイコン５は表示処理部１４へ前記画角合わせモード表示と共に画角合わせ対象画像記録時情報を表示部１５中の画角合わせ表示部１７に表示するよう情報が伝達され、表示がなされる。
【００４２】
シャッター６が半押しされ合焦して画角合わせモードが自動解除されると、マイコン５から表示処理部１４へモード表示をオフする情報が伝達され表示処理部１４の制御により表示部１５内の画角合わせモード表示はオフされる。
【００４３】
これらの動作を実施の形態１に組み合わせることで、撮影者が画角合わせモードに移行したことを視覚で判断しやすくなり操作性が向上することで更に画角合わせを容易に行なうことが可能となる。
【００４４】
【発明の効果】
以上説明したように、本発明によれば同じ撮影対象物を過去に撮影した画像の画角と現在撮影しようとしている画角を簡単にしかも正確に合わせることができる。
【図面の簡単な説明】
【図１】本発明の実施の形態１に関わる撮影装置のブロック図である。
【図２】本発明の実施の形態２に関わる撮影装置のブロック図である。
【図３】本発明の実施の形態３に関わる撮影装置のブロック図である。
【符号の説明】
４　画像合成処理部
５　マイコン
６　シャッター
７　画角合わせモードスイッチ
８　画角合わせ対象画像選択スイッチ
９　画角合わせ信号生成部
１０　画角合わせ画像メモリ
１３　記録媒体
１５　表示部
１６　焦点距離情報検出部
１７　画角合わせモード表示部
１８　画角合わせ対象画像記録時情報検出部
【図１】
2004048169.tif 000003
【図２】
2004048169.tif 000004
【図３】
2004048169.tif 000005